(57)【要約】  電動パワーステアリング装置１００は、操舵トルクに基づいてアシスト基本指令値を演算するアシスト基本指令値演算部３１と、操舵角及び車速に基づいてアシスト基本指令値の制限値を演算する制限値演算部４２と、アシスト基本指令値と制限値を用いて演算されるアシスト指令値に基づいて電動モータ１０の駆動を制御するモータ制御部３２と、を備える。制限値演算部４２は、ステアリングホイール１が切り込まれて操舵角が最大操舵角近傍Ａｚの制限開始操舵角Ａｘを超えた場合に、アシスト指令値が小さくなるように制限値を演算し、制限開始操舵角Ａｘは、車速が大きいほど小さくなるように設定される。
2017060959.tif 000002
【特許請求の範囲】
【請求項１】
操舵トルクに基づいてアシスト基本指令値を演算するアシスト基本指令値演算部と、
操舵角及び車速に基づいて前記アシスト基本指令値の制限値を演算する制限値演算部と、
前記アシスト基本指令値と前記制限値を用いて演算されるアシスト指令値に基づいて電動モータの駆動を制御するモータ制御部と、を備え、
前記制限値演算部は、ステアリングホイールが切り込まれて操舵角が最大操舵角近傍の制限開始操舵角を超えた場合に、前記アシスト指令値が小さくなるように前記制限値を演算し、
前記制限開始操舵角は、車速が大きいほど小さくなるように設定される電動パワーステアリング装置。
【請求項２】
請求項１に記載の電動パワーステアリング装置であって、
前記制限値演算部は、車速に応じて前記制限開始操舵角が異なる複数のマップを有し、複数の前記マップのうち現在の車速に対応するマップを選択する電動パワーステアリング装置。
【請求項３】
請求項２に記載の電動パワーステアリング装置であって、
前記マップにおいて、前記制限値は、操舵角が前記制限開始操舵角以上であって最大操舵角よりも小さい所定操舵角以下の間では、操舵角が大きいほど前記アシスト指令値が小さくなるように設定され、操舵角が前記所定操舵角以上では、操舵角に関係なく前記アシスト指令値が一定値になるように設定される電動パワーステアリング装置。
【請求項４】
請求項１から３のいずれか一つに記載の電動パワーステアリング装置であって、
前記電動モータのモータ回転角を検出するモータ回転角検出器をさらに備え、
前記ステアリングホイールの操舵角を検出する操舵角検出器にて検出された操舵角を、前記モータ回転角検出器にて検出されたモータ回転角を用いて補正することによって高精度操舵角が演算され、
前記制限値演算部は、高精度操舵角及び車速に基づいて前記制限値を演算する電動パワーステアリング装置。
【請求項５】
請求項１から４のいずれか一つに記載の電動パワーステアリング装置であって、
前記制限値を用いて前記アシスト基本指令値の制限を実施するか否かを判定する制限実施判定部をさらに備え、
前記制限実施判定部は、車速が所定速度以下の場合に前記アシスト基本指令値の制限を実施すると判定する電動パワーステアリング装置。
【発明の詳細な説明】
【技術分野】
【０００１】
本発明は、電動パワーステアリング装置に関するものである。
【背景技術】
【０００２】
ＪＰＨ０２−１２８９６１Ａには、最大転舵角近傍まで転舵する際において、ラックがギヤボックスケースに設けられたストッパに当たることによって発生するショック音や振動の軽減を目的として、転舵角が最大転舵角近傍の所定角を越えた場合に、電動モータにより与えられる転舵方向へのパワアシストを減少させることが開示されている。
【発明の概要】
【０００３】
ＪＰＨ０２−１２８９６１Ａに記載の電動パワーステアリング装置では、車庫入れ時に最大操舵角まで操舵が可能なように、パワアシストを減少させる所定操舵角を最大操舵角近傍に設定する必要がある。しかし、このように設定すると、低速走行時に最大操舵角近傍まで操舵した際には、最大操舵角近傍で急に操舵感が重くなってしまい、運転者に操舵フィーリングの違和感を与えてしまう。
【０００４】
本発明は、ラックのストロークエンドでの異音の発生抑制と操舵フィーリングの違和感抑制とを両立させることを目的とする。
【課題を解決するための手段】
【０００５】
本発明のある態様によれば、電動パワーステアリング装置であって、操舵トルクに基づいてアシスト基本指令値を演算するアシスト基本指令値演算部と、操舵角及び車速に基づいて前記アシスト基本指令値の制限値を演算する制限値演算部と、前記アシスト基本指令値と前記制限値を用いて演算されるアシスト指令値に基づいて電動モータの駆動を制御するモータ制御部と、を備え、前記制限値演算部は、ステアリングホイールが切り込まれて操舵角が最大操舵角近傍の制限開始操舵角を超えた場合に、前記アシスト指令値が小さくなるように前記制限値を演算し、前記制限開始操舵角は、車速が大きいほど小さくなるように設定される。
【図面の簡単な説明】
【０００６】
【図１】図１は、本発明の実施形態に係る電動パワーステアリング装置の構成図である。
【図２】図２は、本発明の実施形態に係る電動パワーステアリング装置の制御ブロック図である。
【図３Ａ】図３Ａは、操舵角と制限電流との関係を示すマップであり、車速が０km/hに対応する。
【図３Ｂ】図３Ｂは、操舵角と制限電流との関係を示すマップであり、車速が５km/hに対応する。
【図３Ｃ】図３Ｃは、操舵角と制限電流との関係を示すマップであり、車速が１０km/hに対応する。
【発明を実施するための形態】
【０００７】
以下、図面を参照して、本発明の実施形態に係る電動パワーステアリング装置１００について説明する。
【０００８】
図１を参照して、電動パワーステアリング装置１００の全体構成について説明する。
【０００９】
図１に示すように、電動パワーステアリング装置１００は、運転者によるステアリングホイール１の操作（以下、「ステアリング操作」と称する。）に伴って回転する入力シャフト２と、車輪６を転舵するラック５に連係する出力シャフト３と、入力シャフト２と出力シャフト３を連結するトーションバー４と、を備える。入力シャフト２、出力シャフト３、及びトーションバー４によってステアリングシャフト７が構成される。
【００１０】
出力シャフト３の下部には、ラック５に形成されたラックギヤ５ａと噛み合うピニオンギヤ３ａが形成される。ステアリングホイール１が操作されると、ステアリングシャフト７が回転し、その回転がピニオンギヤ３ａ及びラックギヤ５ａによってラック５の直線運動に変換され、ナックルアーム１４を介して車輪６が転舵される。
【００１１】
また、電動パワーステアリング装置１００は、運転者によるステアリングホイール１の操舵を補助するための動力源である電動モータ１０と、電動モータ１０の回転をステアリングシャフト７に減速して伝達する減速機１１と、運転者によるステアリング操作に伴ってステアリングシャフト７に付与される操舵トルクを検出するトルクセンサ１２と、トルクセンサ１２の検出結果に基づいて電動モータ１０の駆動を制御するコントローラ３０と、をさらに備える。
【００１２】
電動モータ１０には、モータ回転角を検出するモータ回転角検出器としてのモータ回転角センサ１０ａが設けられる。モータ回転角センサ１０ａは、レゾルバによって構成される。モータ回転角センサ１０ａはレゾルバに限られず、検出周期が短いセンサであればよい。
【００１３】
減速機１１は、電動モータ１０の出力軸に連結されるウォームシャフト１１ａと、出力シャフト３に連結されウォームシャフト１１ａに噛み合うウォームホイール１１ｂと、からなる。電動モータ１０が出力するトルクは、ウォームシャフト１１ａからウォームホイール１１ｂに伝達されて出力シャフト３に操舵補助トルクとして付与される。
【００１４】
トルクセンサ１２は、運転者によるステアリング操作に伴う入力シャフト２と出力シャフト３との相対回転によるトーションバー４の捩れ量に基づいて操舵トルクを検出する。トルクセンサ１２は、操舵トルクに対応する信号をコントローラ３０に出力する。コントローラ３０は、トルクセンサ１２からの信号に基づいて、電動モータ１０が出力するトルク相当の電流を演算し、その電流に基づいてトルクが発生するように電動モータ１０の駆動を制御する。このように、電動パワーステアリング装置１００は、ステアリングシャフト７に付与される操舵トルクをトルクセンサ１２にて検出し、その検出結果に基づいて電動モータ１０の駆動をコントローラ３０にて制御して運転者のステアリング操作をアシストする。
【００１５】
入力シャフト２には、ステアリングホイール１の回転角度である操舵角（絶対操舵角）を検出する操舵角検出器としての操舵角センサ１５が設けられる。入力シャフト２の回転角とステアリングホイール１の操舵角とは等しいため、操舵角センサ１５にて入力シャフト２の回転角を検出することによってステアリングホイール１の操舵角が得られる。操舵角センサ１５の検出結果は車載ネットワークを経由してコントローラ３０に出力される。
【００１６】
操舵角センサ１５は、図示しないが、例えば、入力シャフト２と一体に回転するセンターギアと、センターギアに噛み合う２つのアウターギアと、を備え、２つのアウターギアの回転に伴う磁束の変化に基づいて、センターギアの回転角、すなわち入力シャフト２の回転角を演算する。
【００１７】
コントローラ３０には、車速を検出する車速検出器としての車速センサ１６の検出結果が車載ネットワークを経由して入力される。
【００１８】
コントローラ３０は、電動モータ１０の動作を制御するＣＰＵと、ＣＰＵの処理動作に必要な制御プログラムや設定値等が記憶されたＲＯＭと、トルクセンサ１２、操舵角センサ１５、及び車速センサ１６等の各種センサが検出した情報を一時的に記憶するＲＡＭと、を備える。
【００１９】
ラック５は、所定ストローク以上の移動が機械的に規制されている。具体的には、ラック５の一部が、ラック５を収容するラックハウジング（図示せず）に形成されたストッパに当接することによって、ストロークエンドが規定されている。つまり、ラック５がラックハウジングのストッパに当接することによってステアリングホイール１の操舵角が最大となる。
【００２０】
ラック５がストロークエンドまで移動してストッパに勢いよく当接すると、ラック５とストッパの当接による異音が発生する。また、ラック５がストッパに当接した後、ストロークエンドから戻る際には、ラックギヤ５ａとピニオンギヤ３ａの噛み合いの遊び（バックラッシュ）に起因してラックギヤ５ａとピニオンギヤ３ａの当接による反転音が発生する。ラックギヤ５ａとピニオンギヤ３ａの当接による反転音は、ラック５がストッパから勢いよく離れるほど大きくなる。電動パワーステアリング装置１００では、このようなラック５のストロークエンドでの異音の発生を抑制するための制御が行なわれる。
【００２１】
次に、主に図２及び３を参照して、ラック５のストロークエンド付近での異音の発生を抑制するための制御、具体的には、コントローラ３０による電動モータ１０の制御について説明する。
【００２２】
図２に示すように、コントローラ３０は、トルクセンサ１２の検出結果に基づいて運転者によるステアリングホイール１の操舵を補助するためのアシスト基本電流（アシスト基本指令値）を演算する基本電流演算部３１と、電動モータ１０の駆動を制御するモータ制御部３２と、ラック５のストロークエンド近傍での異音発生を抑制するための制御を行う異音抑制制御部３３と、を備える。
【００２３】
異音抑制制御部３３は、基本電流演算部３１で演算されるアシスト基本電流を制限するための制限電流（制限値）を演算する。モータ制御部３２は、アシスト基本電流と制限電流を用いてアシスト電流（アシスト指令値）を演算し、そのアシスト電流に基づいて電動モータ１０の駆動を制御する。
【００２４】
以下では、異音抑制制御部３３について詳しく説明する。
【００２５】
異音抑制制御部３３は、操舵角センサ１５の検出結果とモータ回転角センサ１０ａの検出結果とに基づいて高精度操舵角を演算する高精度操舵角演算部４１と、高精度操舵角演算部４１にて演算された高精度操舵角と車速センサ１６にて検出された車速とに基づいて制限電流を演算する制限電流演算部４２と、アシスト基本電流の制限を実施するか否かを判定する電流制限実施判定部４３と、を備える。
【００２６】
制限電流演算部４２にて制限電流を演算する際には、ステアリングホイール１の操舵角が用いられる。しかし、操舵角センサ１５の検出周期では、ステアリングホイール１が素早く操舵された際には、操舵角センサ１５のみではステアリングホイール１の操舵角を精度良く検出することができない。そこで、ステアリングホイール１の操舵角をより高精度に検出するために、高精度操舵角演算部４１は、操舵角センサ１５にて検出された操舵角を、モータ回転角センサ１０ａにて検出されたモータ回転角を用いて補正することによって高精度操舵角を演算する。具体的に説明すると、モータ回転角センサ１０ａは、操舵角センサ１５の検出周期よりも短い周期で電動モータ１０の回転角変化量であるモータ回転角を検出する。モータ回転角センサ１０ａで検出されたモータ回転角と減速機１１の減速比（出力シャフト３と電動モータ１０の減速比）とから出力シャフト３の回転角度変化量を得ることができる。よって、操舵角センサ１５にて検出される操舵角に、モータ回転角センサ１０ａで検出されるモータ回転角と減速機１１の減速比とから得られる出力シャフト３の回転角度変化量を加算することによって、短い周期で出力シャフト３の操舵角を演算することができる。つまり、高精度操舵角を演算することができる。これにより、ステアリングホイール１が素早く操舵された際であっても、精度の高い操舵角を得ることができる。なお、例えば、舵角センサ１５の検出周期は１０msec程度であり、モータ回転角センサ１０ａの検出周期は１msec以下であるが、舵角センサ１５の検出周期が短ければ、舵角センサ１５のみによって操舵角を検出するようにしてもよい。
【００２７】
制限電流演算部４２は、高精度操舵角演算部４１にて演算された高精度操舵角と車速センサ１６にて検出された車速とを入力信号として、制限電流を演算して出力する。具体的には、制限電流演算部４２には、車速に応じて特性が異なる複数の制限電流マップ（図３Ａ〜３Ｃ参照）が記憶されている。制限電流演算部４２は、複数の制限電流マップのうち現在の車速に対応する制限電流マップを選択し、その選択した制限電流マップを参照して現在の操舵角に対応する制限電流を演算する。制限電流は、基本電流演算部３１で演算されるアシスト基本電流を制限するための電流であり、電動モータ１０を駆動するためのアシスト電流の上限値となるものである。よって、基本電流演算部３１で演算されるアシスト基本電流が大きい場合であっても、アシスト基本電流が制限電流によって制限された場合には、アシスト電流が制限電流よりも大きくなることはなく、電動モータ１０の出力が制限される。
【００２８】
図３Ａ〜３Ｃを参照して、制限電流演算部４２に記憶された制限電流マップについて説明する。図３Ａ〜３Ｃに示す制限電流マップは、操舵角と制限電流との関係を示すマップであり、図３Ａは車速が０km/h時、つまり停車時のマップ、図３Ｂは車速が５km/h時のマップ、図３Ｃは車速が１０km/h時のマップである。図３では、ステアリングホイール１の左操舵と右操舵で共通のマップを使用する場合について示している。
【００２９】
図３Ａに示すように、制限電流は、操舵角が０度（中立位置）から制限開始操舵角Ａｘまでの間では、基本電流演算部３１で演算されるアシスト基本電流を制限しない大きさの一定値Ｉmaxに設定される。また、制限電流は、ステアリングホイール１が切り込まれて操舵角が制限開始操舵角Ａｘを超えた場合に、アシスト電流が小さくなるように一定値Ｉmaxと比較して小さい値に設定される。つまり、アシスト基本電流の制限は、操舵角が制限開始操舵角Ａｘを超える領域（制限領域）のみで行われる。制限開始操舵角Ａｘは、ラック５がラックハウジングのストッパに当接することによって決まる最大操舵角Ａｚ近傍に設定される。例えば、最大操舵角Ａｚの手前３０度程度に設定される。
【００３０】
制限開始操舵角Ａｘは最大操舵角Ａｚ近傍に設定されるため、通常の車両走行時におけるステアリング操作の際に、アシスト基本電流が制限されてハンドルが重くなってしまうことはない。一方、車庫入れ時等のように最大操舵角Ａｚまでステアリングホイール１を操作する場合には、操舵角が制限開始操舵角Ａｘを超えるとアシスト基本電流が制限電流によって制限されてアシスト電流が小さくなるため、電動モータ１０の出力トルクが小さくなる。これにより、ラック５のストロークエンド付近での推力が弱くなり、ラック５がストッパに当接する衝撃が小さくなる。よって、ラック５とストッパの当接による異音の発生が抑制される。また、ラック５がストッパに当接する衝撃が小さくなることによって、ラック５がストロークエンドから戻る際に発生する、ラックギヤ５ａとピニオンギヤ３ａの当接による異音の発生も抑制される。
【００３１】
このように、操舵角が最大操舵角Ａｚ近傍の制限開始操舵角Ａｘを超えた場合にアシスト基本電流を制限することによって、ラック５のストロークエンドでの異音の発生を抑制することができる。
【００３２】
図３Ａに示すように、制限電流は、操舵角が制限開始操舵角Ａｘ以上であって最大操舵角Ａｚよりも小さい所定操舵角Ａｙ以下の間では、操舵角が大きいほど小さくなるように設定され、操舵角が所定操舵角Ａｙ以上では、操舵角に関係なく一定値Ｉminに設定される。制御電流がこのように設定されることによって、操舵角が制限開始操舵角Ａｘ以上所定操舵角Ａｙ以下の間では、操舵角が大きいほどアシスト電流が小さくなり、操舵角が所定操舵角Ａｙ以上では、操舵角に関係なくアシスト電流は一定となる。このように、操舵角が制限開始操舵角Ａｘ以上の制限領域において、操舵角が大きいほど制限電流が小さくなるように設定せずに、操舵角が最大操舵角Ａｚである場合には制限電流を一定値Ｉminに設定したのは、ラック５がストロークエンドに到達した状態では車輪６からの反力に打ち勝つようにある程度アシスト電流を残す必要があるためである。つまり、Ｉminは、ラック５をストロークエンドに保持するための保持電流として設定される。
【００３３】
制限電流演算部４２に記憶された複数の制限電流マップは、車速に応じて特性が異なる。図３Ａ〜３Ｃからわかるように、制限開始操舵角Ａｘ及び保持電流Ｉminが車速に応じて異なる。以下に、具体的に説明する。
【００３４】
停車時には、車庫入れのために最大操舵角までの操舵が要求され、また、ラック５がストロークエンドに向って移動するのに伴って操舵トルクが大きくなり続ける。したがって、停車時には、図３Ａに示すように、制限開始操舵角Ａｘは最大操舵角Ａｚに極力近い方が望ましい。一方、低速走行時には、最大操舵角までの操舵の要求はそれほど大きくなく、また、ラック５がストロークエンドに向かって移動しても操舵トルクがそれほど大きくならない。したがって、低速走行時には、制限開始操舵角Ａｘが最大操舵角Ａｚにそれほど近くなくても問題がない。また、低速走行時においても、図３Ａに示す停車時の制限電流マップを用いると、最大操舵角近傍まで操舵した際には、最大操舵角近傍で急に操舵感が重くなってしまい、運転者に操舵フィーリングの違和感を与えてしまう。そこで、低速走行時には、図３Ｃに示すように、制限開始操舵角Ａｘは停車時（図３Ａ）と比較して小さい操舵角に設定される。これにより、低速走行時に最大操舵角近傍まで操舵した際には、最大操舵角に向けて除々に操舵感が重くなるため、違和感のない自然な操舵フィーリングが実現される。
【００３５】
このように、制限開始操舵角Ａｘは、車速が大きいほど小さくなるように設定される。
【００３６】
また、停車時には、ラック５がストロークエンドに到達した際の車輪６からの反力が大きい。したがって、停車時には、図３Ａに示すように、保持電流Ｉminはアシスト電流をある程度残すために大きく設定される。一方、低速走行時には、ラック５がストロークエンドに到達した際の車輪６からの反力が小さい。したがって、低速走行時には、図３Ｃに示すように、保持電流Ｉminは停車時（図３Ａ）と比較して小さく設定される。
【００３７】
このように、保持電流Ｉminは、車速が大きいほど小さくなるように設定される。
【００３８】
以上のように、制限電流マップは、操舵フィーリングの違和感抑制のため、車速に応じて異なる特性に設定される。これにより、ラック５のストロークエンドでの異音の発生抑制と操舵フィーリングの違和感抑制とを両立することができる。
【００３９】
本実施形態では、制限電流マップは、車速が０km/h、５km/h、１０km/hに対応する３つのマップについて示した、しかし、制限電流マップは車速が１km/h毎又は０．５km/h毎に設定するようにしてもよい。より多くの制限電流マップを設定することによって、操舵フィーリングの違和感をより抑制することができる。
【００４０】
図２に戻り、電流制限実施判定部４３は、制限電流演算部４２にて演算された制限電流を用いてアシスト基本電流の制限を実施するか否かを判定する。つまり、電流制限実施判定部４３は、ラック５のストロークエンド近傍での異音発生を抑制するための異音抑制制御を行うか否かを判定するものである。
【００４１】
車速が大きい場合には、ステアリングホイール１が最大操舵角近傍まで操舵されることは無い。よって、電流制限実施判定部４３は、車速が所定速度以下の場合にアシスト基本電流の制限を実施すると判定する。所定速度は、例えば１０km/hである。
【００４２】
ただ、アシスト基本電流の制限を実施するか否かを判定する速度の閾値が１０km/hのみの場合には、車両が１０km/h前後の速度で走行する場合には、アシスト基本電流の制限と非制限を繰り返してしまうおそれがある。そこで、車両の加速時においてアシスト基本電流の制限を解除する解除閾値と、車両の減速時においてアシスト基本電流の制限を実施する実施閾値と、を異なる速度に設定するのが望ましい。例えば、解除閾値は１０km/hに設定され、実施閾値は５km/hに設定される。このように、解除閾値と実施閾値をオフセットすることによって安定した異音抑制制御が可能となる。
【００４３】
電流制限実施判定部４３にてアシスト基本電流の制限を実施すると判定された場合には、モータ制御部３２は、アシスト基本電流と制限電流を用いてアシスト電流を演算し、そのアシスト電流に基づいて電動モータ１０の駆動を制御する。
【００４４】
以下、本発明の実施形態の構成、作用、及び効果をまとめて説明する。
【００４５】
本実施形態では、電動パワーステアリング装置１００は、操舵トルクに基づいてアシスト基本電流を演算する基本電流演算部３１と、操舵角及び車速に基づいてアシスト基本電流を制限する制限電流を演算する制限電流演算部４２と、アシスト基本電流と制限電流を用いて演算されるアシスト電流に基づいて電動モータ１０の駆動を制御するモータ制御部３２と、を備える。制限電流演算部４２は、ステアリングホイール１が切り込まれて操舵角が最大操舵角Ａｚ近傍の制限開始操舵角Ａｘを超えた場合に、アシスト電流が小さくなるように制限電流を演算し、制限開始操舵角Ａｘは、車速が大きいほど小さくなるように設定される。
【００４６】
この構成では、操舵角が最大操舵角Ａｚ近傍の制限開始操舵角Ａｘ以上である場合にはアシスト基本電流が制限されるため、ラック５のストロークエンド付近での推力が弱くなり、ストロークエンドでの異音の発生が抑制される。また、制限開始操舵角Ａｘは車速が大きいほど小さくなるように設定されるため、低速走行時に最大操舵角Ａｚ近傍まで操舵した際には、最大操舵角Ａｚに向けて除々に操舵感が重くなり、違和感のない自然な操舵フィーリングが実現される。よって、ラック５のストロークエンドでの異音の発生抑制と操舵フィーリングの違和感抑制とを両立することができる。
【００４７】
また、本実施形態では、制限電流演算部４２は、車速に応じて制限開始操舵角Ａｘが異なる複数の制限電流マップを有し、複数の制限電流マップのうち現在の車速に対応するマップを選択する。
【００４８】
この構成では、制限電流は、車速に応じて制限開始操舵角Ａｘが異なる複数の制限電流マップに基づいて演算されるため、操舵フィーリングの違和感をより抑制することができる。
【００４９】
また、本実施形態では、制限電流マップにおいて、制限電流は、操舵角が制限開始操舵角Ａｘ以上であって最大操舵角よりも小さい所定操舵角Ａｙ以下の間では、操舵角が大きいほどアシスト電流が小さくなるように設定され、操舵角が所定操舵角Ａｙ以上では、操舵角に関係なくアシスト電流が一定値になるように設定される。
【００５０】
この構成では、ラック５がストロークエンドに到達した状態において、車輪６からの反力に打ち勝つアシスト電流を確保することができる。
【００５１】
また、本実施形態では、電動パワーステアリング装置１００は、ステアリングホイール１の操舵角を検出する操舵角センサ１５と、電動モータ１０のモータ回転角を検出するモータ回転角センサ１０ａと、をさらに備え、操舵角センサ１５にて検出された操舵角を、モータ回転角センサ１０ａにて検出されたモータ回転角を用いて補正することによって高精度操舵角が演算され、制限電流演算部４２は、高精度操舵角及び車速に基づいて制限電流を演算する。
【００５２】
この構成では、ステアリングホイール１が素早く操舵された際であっても精度の高い操舵角を得ることができるため、制限電流の精度も向上する。
【００５３】
また、本実施形態では、電動パワーステアリング装置１００は、制限電流を用いてアシスト基本電流の制限を実施するか否かを判定する電流制限実施判定部４３をさらに備え、電流制限実施判定部４３は、車速が所定速度以下の場合にアシスト基本電流の制限を実施すると判定する。
【００５４】
この構成では、車速が所定速度以下の場合にのみアシスト基本電流の制限が実施されるため、異音抑制制御が必要のない車両の通常走行時に、アシスト基本電流が制限されてしまう事態を防止することができる。
【００５５】
以上、本発明の実施形態について説明したが、上記実施形態は本発明の適用例の一部を示したに過ぎず、本発明の技術的範囲を上記実施形態の具体的構成に限定する趣旨ではない。
【００５６】
例えば、上記実施形態では、図３Ａ〜３Ｃに示す制限電流マップのように、制限電流は、操舵角が制限開始操舵角Ａｘ以上であって最大操舵角Ａｚよりも小さい所定操舵角Ａｙ以下の間では、操舵角が大きいほど小さくなるように設定され、操舵角が所定操舵角Ａｙ以上では、操舵角に関係なく一定値Ｉminに設定される形態について説明した。しかし、所定操舵角Ａｙ及び一定値Ｉminを設定せずに、制限電流を、操舵角が制限開始操舵角Ａｘ以上では、操舵角が大きいほど小さくなるように設定してもよい。つまり、操舵角が制限開始操舵角Ａｘ以上では、操舵角が大きいほどアシスト電流が小さくなるように設定してもよい。
【００５７】
また、上記実施形態では、制限電流演算部４２は、制限電流マップを参照して制限電流を演算する形態について説明した。しかし、制限電流演算部４２は、制限電流マップを参照することなく制限電流を演算する構成であってもよい。
【００５８】
また、上記実施形態では、精度の高い操舵角を得るために、操舵角センサ１５にて検出された操舵角を、モータ回転角センサ１０ａにて検出されたモータ回転角を用いて補正することによって高精度操舵角を演算する形態について説明した。しかし、精度の高い操舵角が必要でない場合や、操舵角センサ１５の検出周期が十分短い場合には、操舵角センサ１５にて検出された操舵角のみを用いて制限電流を演算するようにしてもよい。つまり、本発明は、操舵角センサ１５にて検出された操舵角のみを用いて制限電流を演算する形態を排除するものではない。
【００５９】
また、制限電流演算部４２にて演算される制限電流を、電流制限実施判定部４３を介さずにモータ制御部３２に出力するようにしてもよい。つまり、電流制限実施判定部４３は本発明の必須の構成ではない。
【００６０】
また、上記実施形態では、電動モータ１０の駆動力が、減速機１１を介して出力シャフト３に付与される形態について説明した。これに代えて、電動モータ１０の駆動力を、プーリ及びベルトを有する減速機を介してラック５に付与する構成（ベルトドライブ方式）としてもよく、また、電動モータ１０の駆動力を、減速機を介さずに直接ラック５に付与する構成（ダイレクトドライブ方式）としてもよい。このように、電動モータ１０は、ステアリング系に操舵補助トルクを付与するものである。
【００６１】
また、上記実施形態では、ラック５に形成されたラックギヤ５ａと噛み合うピニオンギヤ３ａが出力シャフト３に形成されたピニオン式の電動パワーステアリング装置１００について説明した。しかし、本発明は、出力シャフト３にピニオンが形成されないコラム式の電動パワーステアリング装置であってもよい。
【００６２】
また、上記実施形態では、ドライバによる操舵トルクと電動モータ１０による操舵補助トルクとが共通のステアリングシャフト１１を介してラック５に入力されるシングルピニオン式の電動パワーステアリング装置１００について説明した。しかし、本発明は、ドライバによる操舵トルクと電動モータ１０による操舵補助トルクとがそれぞれ独立してラック５に入力されるデュアルピニオン式の電動パワーステアリング装置であってもよい。
【図１】
2017060959.tif 000003
【図２】
2017060959.tif 000004
【図３Ａ】
2017060959.tif 000005
【図３Ｂ】
2017060959.tif 000006
【図３Ｃ】
2017060959.tif 000007
【国際調査報告】
2017060959.tif 000008
2017060959.tif 000009
2017060959.tif 000010
2017060959.tif 000011